(57)【要約】【課題】書、絵画、古文書等の書画を乾燥や酸化による劣化から保護する雰囲気を容易に形成出来る書画の保存方法及び保存装置を提供する。【解決手段】空気中に噴出した水の破砕によりナノミストとマイナスイオンを発生させるナノミスト発生装置１と、このナノミスト発生装置１で発生したナノミストとマイナスイオンを、書、絵画、古文書が保存された保存室３に供給する供給ダクト５と、前記供給ダクト５の途中で保存室３に供給される空気の温度を調節する空気調和機４と、前記保存室３内の空気を吸引し外気を混合した後にナノミスト発生装置１へ供給する送風装置７とで構成したので、書、絵画、古文書の劣化を阻止し、長期間に渡って良好な状態で保存出来るものである。【選択図】  図１
2011084375.tif 000002
【特許請求の範囲】
【請求項１】
空気中に噴出された水の破砕によってナノミストとマイナスイオンを空気中に発生させ、その発生したナノミストとマイナスイオンを含む空気雰囲気中に置くことにより、書、絵画、古文書を長期間保存することを特徴とする書画の保存方法。
【請求項２】
空気中に噴出した水の破砕によりナノミストとマイナスイオンを発生させるナノミスト発生装置と、このナノミスト発生装置で発生したナノミストとマイナスイオンを、書、絵画、古文書が保存された保存室に供給する供給ダクトと、前記供給ダクトの途中で保存室に供給される空気の温度を調節する空気調和機と、前記保存室内の空気を吸引し外気を混合した後にナノミスト発生装置へ供給する送風装置とで構成したことを特徴とする書画の保存装置。
【発明の詳細な説明】
【技術分野】
【０００１】
この発明は、書、絵画、古文書を長期間に渡って良好な状態を維持して保存することが出来る書画の保存方法及び書画の保存装置に関するものである。
【背景技術】
【０００２】
従来よりこの種のものでは、一連の絵画を保存し、コンピュータ制御された選択装置の作動により特定の１つを展示することによって、非常に多くの作品を小空間で空間節約、搬送の容易さなどの付随的な利点を備えて展示することが可能であった。
【先行技術文献】
【特許文献】
【０００３】
【特許文献１】特許第３０２５１９５号公報
【発明の概要】
【発明が解決しようとする課題】
【０００４】
ところでこの従来のものでは、保存品の状態維持に関しては、せいぜい保存室を空調装置で一定の温度に維持する程度であったため、特に書、絵画、古文書などの元が紙や布で出来ているものについては、長期間の保存により紙や布の水分が完全に抜けてカサカサの状態となり、破損の危険も有するものであった。
【課題を解決するための手段】
【０００５】
この発明は上記課題を解決するために、特にその構成を、請求項１では、空気中に噴出された水の破砕によってナノミストとマイナスイオンを空気中に発生させ、その発生したナノミストとマイナスイオンを含む空気雰囲気中に置くことにより、書、絵画、古文書を長期間保存するものである。
【０００６】
又請求項２では、空気中に噴出した水の破砕によりナノミストとマイナスイオンを発生させるナノミスト発生装置と、このナノミスト発生装置で発生したナノミストとマイナスイオンを、書、絵画、古文書が保存された保存室に供給する供給ダクトと、前記供給ダクトの途中で保存室に供給される空気の温度を調節する空気調和機と、前記保存室内の空気を吸引し外気を混合した後にナノミスト発生装置へ供給する送風装置とで構成したものである。
【発明の効果】
【０００７】
この発明の請求項１によれば、書、絵画、古文書を保存した空気中には、ナノメートル（ｎｍ）サイズ（約１０〜５０ｎｍ）のミストとマイナスイオンが存在し、ナノミストは目で見えない程微細で紙や布を濡らすこともなく、紙の繊維の中まで浸透して乾燥を防止すると共に、適度なうるおいを与えるものであり、又マイナスイオンは、脱臭、除菌効果で空気を綺麗にして書、絵画、古文書の汚れを防止し、更にその還元作用で酸化酸素を活性化させて、ナノミストと相俟って書、絵画、古文書の劣化を阻止し、長期間に渡って良好な状態を維持出来るものである。
【０００８】
又請求項２によれば、書、絵画、古文書を保存した保存室内を一定温度で、且つナノミストとマイナスイオンが常時供給されるので、書、絵画、古文書の劣化を阻止し、長期間に渡って良好な状態を維持出来るものであり、更にこのナノミストとマイナスイオンが混入した空気を、外気をプラスした後にナノミスト発生装置に戻すことで、該空気中の塵や雑菌を除去してから、再び保存室に供給するので、保存に最適な極めて綺麗な空気を常に使用出来、安心して保存出来るものである。
【図面の簡単な説明】
【０００９】
【図１】この発明の一実施形態を示す書画保存装置の概略構成図。
【図２】同ナノミスト発生装置の構成図。
【図３】同ナノミスト発生装置の横断面図。
【図４】同ナノミスト発生装置の縦断面図。
【発明を実施するための形態】
【００１０】
次にこの発明の書画の保存装置の一実施形態を図面に基づき説明する。
図１において、１は水の破砕により空気中にナノミストとマイナスイオンを噴出するナノミスト発生装置で、書、絵画、古文書等の書画２を保存した保存室３と、途中に空気調和機４を備えた供給ダクト５を介して連通し、該保存室３内に空気調和機４で制御して一定温度ここでは１３℃〜１５℃の空気を上部の吹出口６から供給すると共に、ナノミスト発生装置１で発生したナノミストとマイナスイオンも供給して、保存室３内を１３℃〜１５℃の室温で、水滴のない湿度７０％〜８０％の雰囲気を良好にすることで、保存する書画２の劣化を防止するものである。
【００１１】
７は保存室３内の空気を下部の吸引口８を介して吸引し、途中の外気取入口９から新鮮な外気を取り入れながらナノミスト発生装置１に供給する送風装置で、このナノミスト発生装置１で発生したナノミストとマイナスイオンも送風装置７の送風により前記したように保存室３へ供給すれるものである。
【００１２】
次に前記ナノミスト発生装置１について、図２〜４に基づいて説明する。
１０は水を一定量貯留する貯水部、１１は貯水部１０の一側壁に接続され貯水部１０に給水する給水管、１２は給水管１１の途中に設けられ給水管１１の開閉を行う自動給水弁、
１３は貯水部１０の一側壁に設けたオーバーフロー管、１４は貯水部１０の底部に接続され貯水部１０に貯められた水を排水する排水管、１５は排水管１４の途中に設けられ排水管１４の開閉を行う自動排水弁である。
【００１３】
１６は前記貯水部１０内を処理室１７と分離室１８の２室に仕切る仕切壁で、下端を分離室１８側を屈曲し水面との間の連通路１９を水面近傍まで下げることにより、処理室１７から分離室１８へ向かう空気中の大粒のミスト（水滴）を水面にぶつけて落下させる気液分離器の役目も果たすようにしている。
【００１４】
前記処理室１７には、貯水部１０の蓋体２０に設けた挿通穴２１に、防水カバー２２の凹部２３に回転用モータ２４の下半分を収容して挿通し、回転用モータ２４と支軸２５とを連結し、下部を水没させ上方に向かって径が拡大した擂り鉢状の回転体２６が垂下して設けられ、この回転体２６は前記回転用モータ２４による駆動で回転し、その遠心力で貯水部１０内の給水を回転体２６表面及びむしろ裏面に沿って吸い上げ、上端に形成した複数の細孔２７から周囲に飛散させるものである。
【００１５】
前記分離室１８には、仕切壁１６の下端を分離室１８下方に向かって傾斜屈曲させた第１の邪魔板２８と、この仕切壁１６と対向する側壁に、下方に向かって傾斜して取り付けた第２の邪魔板２９とで交互に突出させて、中央部に下部の連通路１９から上部の放出口３０に向かう蛇行路３１が形成されているものである。
【００１６】
３２は前記回転体２６の外周に所定間隔を保持して位置し、該回転体２６と共に回転する円筒状の多孔体で、回転体２７の回転による遠心力で貯水部１０内の水を汲み上げると共に空気を飛散させ、そして多孔体３２全周壁に形成した多数のスリットや金網やパンチングメタル等から成る多孔部３３を通過させたり、ぶつけて破砕させることで、水の粒子を微細化してナノメートル（ｎｍ）サイズの微細水滴を生成すると共に、この水の粒子の微細化によるレナード効果でマイナスイオンを発生させるものであり、前記回転体２６を回転させる回転用モータ２４と、回転体２６と、回転体２６と共に回転する多孔体３２とから水破砕手段が構成されているものである。
【００１７】
３４は前記多孔体３２の外周に所定の間隔を置いて多孔体３２を覆うように配置された楕円形状の空気案内筒で、円筒状の多孔体３２との間には一対の大流通路３５、３５と一対の小流通路３６、３６とが形成されるように、処理室１７の上方を塞ぐ中蓋３７に設けられており、分離室１８の上部で該分離室１８と放出口３０とを連通する位置に備えられたクロスフローファンから成る送風装置７の駆動で、途中に外気取入口９を形成した吸引ダクト３８を介して蓋体２０と中蓋３７との間の給気口３９から吸引された新鮮な外気と保存室３内の空気を、一側壁に吸引ダクト３８が接続される給気口３９を有し蓋体２０と中蓋３７との間の空間で形成される給気室４０に流入させ、処理室１７上部の給気室４０から処理室１７に向かって回転体２６の上方から空気案内筒３４内に流入させることで、水の粒子の破砕回数を増やすと共に、空気のマイナス帯電も増加させ結果としてナノミスト及びマイナスイオンを大量に発生させることができるものである。
【００１８】
前記空気案内筒３４には、その内周縁に内方に突出したフランジ部４１が設けられ、このフランジ部４１は、回転体２６の回転による遠心力により水が貯水部１０から汲み上げられ多孔体３２を介して飛散し空気案内筒３４を跳ね返った水が、意図しない箇所、例えば、蓋体２０に固定された回転用モータ２４と支軸２５との接続部近傍や、給気室４０内に飛散するのを防止するために、回転体２６の上面よりも上方の高さ位置に設けられているものである。
【００１９】
４２は貯水部１０内の底部に備えられ貯水部１０内の水または温水があるときに検出信号を出力する水位検出手段としての２つのフロートスイッチ４３、４４から成り、フロートスイッチ４３は貯水部１０に貯められる水の低水位を検出するもので、回転体２６の下端が水面上に露呈しない所定水位まで水があるときに検出信号を出力するものであり、フロートスイッチ４４は貯水部１０に貯められる水の高水位を検出するもので、フロートスイッチ４３が水ありを検出する水位よりも高い所定水位に達したときに、検出信号を出力するものであり、貯水部１０の水位が回転体２６の下端が水面上に露呈しない所定水位に低下すると、低水位検出用のフロートスイッチ４３がＯＦＦとなり、自動給水弁１２を開弁して一定水位まで給水を行い、そして、貯水部１０内が所定水位に達して、高水位検出用のフロートスイッチ４４がＯＮとなると、自動給水弁１２を閉弁するものであり、保存室３内に書画２を保存している状態では２４時間常に貯水部１０を所定水位範囲内に保持するものである。
【００２０】
４５は前記２つのフロートスイッチ４３、４４を貯水部１０の水面変動の影響を受けないように保護する断面コ字状の保護枠で、正面及び両側方を水面上まで突出させた枠体とし、貯水部６の一側壁とで２つのフロートスイッチ４３、４４を囲ったものであり、上面で２つのフロートスイッチ４３、４４を垂下して固定している。
【００２１】
４６は保存室３内に備えられ該保存室３内の室温を検知して一定温度を保持するように空気調和機４を制御する室温センサ、４７は室温センサ４６と同じく保存室３内に備えられ該保存室３内の湿度を検知して所定湿度になるようにナノミスト発生装置１を制御する湿度センサである。
【００２２】
次にこの一実施形態の作動について説明する。
今保存室３内に書画２が保存されている状態で、ナノミスト発生装置１を駆動開始させれば、先ず回転用モータ２５の回転で回転体２７が回転することで、貯水部１０に水没している回転体２７下端から該回転体２７表面及び裏面に遠心力で、その面に沿って水が上昇し、回転体２７上端の複数の細孔２８から外周に向かってこの水が飛散され、汲み上げられた水の一部は回転体２７と同時に回転している多孔体３３にぶつかって破砕され微細水滴となり、この微細水滴及び他の水の一部は多孔部３４を通り抜けて、多孔体３３外周の空気案内筒３５の内壁にぶつかってさらに破砕されて微細水滴となり、目に見えないナノメートルサイズのナノミスト及び大粒の水滴を含むミストが生成されると共に、レナード効果によりナノミストはマイナスに帯電され周りの空気もマイナスに帯電されてマイナスイオンを発生させることができるものである。
【００２３】
又送風装置７の駆動で給気口４０からは、吸引ダクト３９を介して保存室３内の空気と外気取入口９からの新鮮な外気が流入し、回転中の回転体２７上方から空気案内筒３５に案内されて処理室１８内へと流れるが、この時、円筒状の多孔体３３と楕円形状の空気案内筒３５との間には、一対の大流通路３６、３６と一対の小流通路３７、３７が形成されており、ここを空気が流通することで、ベルヌーイの定理より圧力差が生じて圧力が高い大流通路３６、３６側から圧力が低い小流通路３７、３７側への空気の流れが発生して乱流となり、大粒のミストは容易に落下してナノミストだけが存在することとなり、マイナスに帯電したナノミストである水粒子に多くの空気が接触することで、マイナスイオンも大量に得ることができ、しかもこの時、空気中に含まれている塵や細菌はナノミスト以外の大粒の水滴に囲まれて、貯水部１０の水中に落下し、そのまま水中に止まることで、空気清浄も同時に行われるもので、この空気清浄も空気の乱流になって良好に行われるものである。
【００２４】
又貯水部１０の水を処理室１８内で破砕し、生成されたナノミスト及びマイナスイオンを含む空気は、仕切壁１７の下の連通路２０を通過する下向きの流れで、大粒の水滴は自重で水中に落下すると共に、続く分離室１９を上昇する過程で残ったナノミストは、先ず仕切壁１７の下端の第１の邪魔板２９にぶつかり大粒の水滴に成長して落下し、次に蛇行路３２を流通しながらも落下し、第２の邪魔板３０にもぶつかって最後の大粒の水滴に成長して落下し、再び蛇行路３２を流通して、最終的にはナノメートルサイズのナノミストとマイナスイオンが送風装置７の送風で、供給ダクト５を介して保存室３内に吹出口６から供給され、更に供給ダント５途中の空気調和機４からは一定温度に制御された空気が同じく吹出口６から保存室３内へ供給されることにより、保存室３内を１３℃〜１５℃の室温で、水滴のない湿度７０％〜８０％の雰囲気に常時維持することが出来るものである。
【００２５】
これによって、保存室３内の書画２は、ナノミストとマイナスイオンの効果で乾燥や酸化による劣化が阻止され、長期に渡って良好な状態を維持した状態で保存され、貴重な書画２を後世の人に良好な状態のまま残すことが出来るものであり、特にナノミストは書、絵画、古文書の紙や布の繊維まで浸透して、紙や布の基から乾燥を防止することが出来、又マイナスイオンによって空気が清浄化されると共に、抗酸化作用で書画の劣化を確実に防止出来、安心して使用出来るものである。
【００２６】
一方上記したようにナノミスト発生装置１による空気清浄作用により、貯水部１０の水中に保持された塵や細菌は、貯水部１０の水位がナノミストの発生によって低下し、フロートスイッチ４４が満水のＯＮ状態から回転体２７の下端が露呈する水位を検知してＯＦＦ状態になることで、回転体２７及び送風装置７を停止させ、自動給水弁１２は閉弁状態を維持させて、自動排水弁１５を開弁状態として貯水部１０の残水を排水することにより、残水と共に残水中の塵や細菌も排水して捨てることが出来、そして全て排水後に自動給水弁１２を開弁してフロートスイッチ４５が満水を検知するまで給水すれば、貯水部１０を清潔で綺麗な状態に常に保持出来、清潔なナノミストを発生させることが出来るものである。
【符号の説明】
【００２７】
１  ナノミスト発生装置
２  書画
３  保存室
４  空気調和機
５  供給ダクト
７  送風装置
【図１】
2011084375.tif 000003
【図２】
2011084375.tif 000004
【図３】
2011084375.tif 000005
【図４】
2011084375.tif 000006